(57)【要約】【課題】  ショッピングカートの利便性を向上させる。【解決手段】  商品に接触してその商品の落下を防止する落下防止部４２、及び落下防止部４２より上側で商品に接触してその商品を支える支持部４４を有する取付用バスケット部材４０と、取付用バスケット部材４０をバスケット部１２に取り付けるための取付部材６０とを備えたカート取付具３０を、ショッピングカートのカート本体１０に取り付ける。これにより、カート取付具３０の取付用バスケット部材４０、及びカート本体１０のバスケット部１２の両方に商品を収容することができるので、ショッピングカートの利便性を向上させることができる。【選択図】図２
0003127169.tif 000002
【実用新案登録請求の範囲】
【請求項１】
商品を収容する買物籠及び商品のうち少なくとも一方を収容する籠状のバスケット部を有するショッピングカートに取り付けられるカート取付具であって、
商品に接触してその商品の落下を防止する落下防止部、及び前記落下防止部より上側で商品に接触してその商品を支える支持部を有する取付用バスケット部材と、
前記取付用バスケット部材を前記バスケット部に取り付けるための取付部材と
を備えたことを特徴とするカート取付具。
【請求項２】
前記取付用バスケット部材と前記取付部材とが、回転可能に連結されていることを特徴とする請求項１に記載のカート取付具。
【請求項３】
前記取付部材は、
前記バスケット部の一部に引っ掛けるためのフックと、
前記フック及び前記取付用バスケット部材に接続されたフレーム部材と、
前記バスケット部を挟んだ位置で、前記フレーム部材及び前記フックの揺れ動きを抑制する揺動抑制部材と
を有して構成されていることを特徴とする請求項１又は請求項２に記載のカート取付具。
【請求項４】
商品を収容する買物籠及び商品のうち少なくとも一方を収容する籠状のバスケット部と、
商品に接触してその商品の落下を防止する落下防止部と、
前記落下防止部より上側で商品に接触してその商品を支える支持部と
を備えたことを特徴とするショッピングカート。
【請求項５】
商品を収容する買物籠及び商品のうち少なくとも一方を収容する籠状のバスケット部と、
請求項１ないし請求項３の何れか１項に記載のカート取付具と
を備えたことを特徴とするショッピングカート。
【考案の詳細な説明】
【技術分野】
【０００１】
本考案は、商品を収容する買物籠及び商品のうち少なくとも一方を収容する籠状のバスケット部を有するショッピングカート、並びにバスケット部に取り付けられるカート取付具に関する。
【背景技術】
【０００２】
スーパーマーケットやデパート等のショッピングセンターで買い物をする際には、買物籠を用いたり、特許文献１に記載のように買物籠や商品を収容する籠状のバスケット部を有する手押し車からなるショッピングカートを用いたりしている。
【特許文献１】特開２００３−１７０８３４号公報
【考案の開示】
【考案が解決しようとする課題】
【０００３】
ところで、ショッピングセンターでは、花束のように長くて折れやすいものや、牛乳パック等のように重くて固いものというように、様々な商品が販売されているので、例えば花束と牛乳パックとを一つのバスケット部に収容する際には、商品が傷んでしまわないように、商品の収容位置を気にしながら商品を収容する必要があった。
【０００４】
本考案は、上記点に鑑み、ショッピングカートの利便性を向上させることを目的とする。
【課題を解決するための手段】
【０００５】
本考案は、上記目的を達成するために、請求項１に記載の考案では、商品を収容する買物籠及び商品のうち少なくとも一方を収容する籠状のバスケット部を有するショッピングカートに取り付けられるカート取付具であって、商品に接触してその商品の落下を防止する落下防止部、及び落下防止部より上側で商品に接触してその商品を支える支持部を有する取付用バスケット部材と、取付用バスケット部材をバスケット部に取り付けるための取付部材とを備えたことを特徴とする。
【０００６】
以上のような請求項１に記載の考案では、落下防止部及び支持部に商品を接触させることで、その商品の落下を防止するとともにその商品を支持する、すなわち商品を取付用バスケット部材に収容するようにしている。
【０００７】
そして、この請求項１に記載の考案では、商品を収容可能な取付用バスケット部材をショッピングカートに取り付けることで、カート取付具の取付用バスケット部材、及びショッピングカートのバスケット部の両方に商品を収容することができる。
【０００８】
このため、例えば、花束等の長くて折れやすい商品を取付用バスケット部材に収容するとともに、牛乳パック等の重くて固い商品をバスケット部に収容すれば、異なる部類の商品を別々の場所に収容することができる。
【０００９】
したがって、商品の収容位置を特に気にすることなく、商品を取付用バスケット部材及びバスケット部に収容することができるので、ショッピングカートの利便性を向上させることができる。
【００１０】
また、請求項２に記載の考案では、取付用バスケット部材と取付部材とが回転可能に連結されていることを特徴としている。
これによれば、取付用バスケット部材をバスケット部の外側に取り付けられていた場合でも、取付用バスケット部材をバスケット部の内側に回転移動させることができるので、使用者が取付用バスケット部材を使用しないときには、取付用バスケット部材をバスケット部の内側に収納することができる。
【００１１】
また、請求項３に記載の考案では、取付部材は、バスケット部の一部に引っ掛けるためのフックと、フック及び取付用バスケット部材に接続されたフレーム部材と、バスケット部を挟んだ位置で、フレーム部材及びフックの揺れ動きを抑制する揺動抑制部材とを有して構成されていることを特徴とする。
【００１２】
つまり、単にフックを用いて取付用バスケット部材をバスケット部に取り付けただけでは、取付用バスケット部材がショッピングカートの移動等に応じて揺れ動いてしまうが、請求項３に記載の考案では、揺動抑制部材を設けてフック及びフレーム部材の揺れ動きを抑制するようにしているので、取付用バスケット部材がショッピングカートの移動等に応じて揺れ動いてしまう（がたついてしまう）ことを抑制することができる。
【００１３】
次に、請求項４に記載の考案では、商品を収容する買物籠及び商品のうち少なくとも一方を収容する籠状のバスケット部と、商品に接触してその商品の落下を防止する落下防止部と、落下防止部より上側で商品に接触してその商品を支える支持部とを備えたことを特徴とする。
【００１４】
請求項４に記載の考案においても、請求項１に記載の考案と同様に、落下防止部及び揺動防止部を利用して、落下防止部及び揺動防止部に商品を収容するようにしているので、落下防止部及び揺動防止部とバスケット部との両方に商品を収容することができ、上述した効果と同様の効果を得ることができる。
【００１５】
また、請求項５に記載の考案では、商品を収容する買物籠及び商品のうち少なくとも一方を収容する籠状のバスケット部と、請求項１ないし請求項３の何れか１項に記載のカート取付具とを備えたことを特徴とする。
【００１６】
請求項５に記載の考案においても、請求項１に記載の考案と同様に、商品を収容可能な取付用バスケット部材をショッピングカートに取り付けることで、取付用バスケット部材とバスケット部との両方に商品を収容することができ、上述した効果と同様の効果を得ることができる。
【考案を実施するための最良の形態】
【００１７】
以下に本考案の実施形態を図面と共に説明する。
（第１実施形態）
１．ショッピングカートの全体構成
図１は、第１実施形態のショッピングカートの全体構成を説明する説明図であり、図２（ａ）は、前方側からみたショッピングカートの主要部分を表す要部拡大図であり、図２（ｂ）は、後方側からみたショッピングカートの主要部分を表す要部拡大図であり、図３は、本実施形態のカート取付具の全体構成を説明する説明図である。
【００１８】
ショッピングカートは、図１に示すように、ショッピングセンターで客が商品を入れて運ぶための手押し車からなるカート本体１０を有して構成されており、このカート本体１０には、買物籠（図示省略）や商品を収容する籠状のバスケット部１２が設けられている。
【００１９】
バスケット部１２は、網目状に形成された底側網目部１４、前側網目部１６、右側網目部１８、左側網目部２０及び後側網目部２２等を有して構成されており、後側網目部２２は、その上端側がカート本体１０の左右方向に略平行な軸回りに回転可能にカート本体１０に取り付けられている。
【００２０】
また、バスケット部１２の前側（前側網目部１６）には、本考案に係るカート取付具３０が取り付けられており、このカート取付具３０は、バスケット部１２に対して着脱自在に組み付けられている。
【００２１】
２．カート取付具３０
カート取付具３０は、図２に示すように、商品（本実施形態では花束）を収容するための取付用バスケット部材４０、及び取付用バスケット部材４０をバスケット部１２に取り付けるための取付部材６０を有して構成されている。
【００２２】
２．１．取付用バスケット部材４０
取付用バスケット部材４０は、図３に示すように、商品に接触してその商品の落下を防止する３つの落下防止部４２、落下防止部４２より上側で商品に接触してその商品を支える３つの支持部４４、及び落下防止部４２と支持部４４とを連結する連結部４６等を有して構成されている。
【００２３】
落下防止部４２の各々は略環状に形成されており、この落下防止部４２の各々は、カート本体１０の左右方向に一列に並んで配置されている。そして、落下防止部４２のうち中央の落下防止部４２と支持部４４とが、連結部４６により連結されている。
【００２４】
また、落下防止部４２と支持部４４とは、図２（ａ）に示すように、略鉛直方向に一列に並んで配置されており、支持部４４のうち中央の支持部４４は環状に形成され、残り２つ（両側）の支持部４４は、落下防止部４２よりも径が大きい略半円状に形成されている。
【００２５】
また、両側の支持部４４には、図２（ａ）に示すように、中央の支持部４４側とは反対側の端部から略鉛直方向に延びるアーム部４８が設けられており、このアーム部４８の先端側には、図２（ｂ）に示すように、カート本体１０の左右方向に延びて後述の挿入孔６４Ｃ、６６Ｃに挿入される挿入突起部５０が設けられている。
【００２６】
一対のアーム部４８は、互いの間隔が小さくなるように弾性変形可能に構成されている。そして、アーム部４８の長さは、前側網目部１６、右側網目部１８及び左側網目部２０の高さよりも短くなるようにされている。
【００２７】
なお、取付用バスケット部材４０は、金属からなる複数の棒材（本実施形態では４本）が折り曲げられ、その折り曲げられた棒材同士が溶接されることで構成されている。また、本実施形態では、両側の落下防止部４２が１本の棒材で形成され、中央の落下防止部４２及び連結部４６が１本の棒材で形成され、両側の支持部４４、アーム部４８及び挿入突起部５０が１本の棒材で形成され、中央の支持部４４が１本の棒材で形成されている。
【００２８】
２．２．取付部材６０
取付部材６０は、図３に示すように、鉤状のフック６２、金属板からなるフレーム部材６４及び揺動防止部材６６を有して構成されている。フック６２は、バスケット部１２の一部に引っ掛けるためのものであり、このフック６２は、フレーム部材６４に取り付けられている。
【００２９】
フレーム部材６４は、図２（ｂ）に示すように、カート本体１０の左右方向に延びるフレーム本体部６４Ａ、及びフレーム本体部６４Ａの長手方向両端側に形成されてフレーム本体部６４Ａの長手方向に略直交した方向に突出する突出部６４Ｂを有して略コの字状に形成されている。また、突出部６４Ｂには、図３に示すように、取付用バスケット部材４０の挿入突起部５０を挿入するための挿入孔６４Ｃが形成されている。
【００３０】
揺動抑制部材６６は、網目部１６を挟んだ位置でフレーム部材６４やフック６２等の揺れ動きを抑制するためのものである。そして、この揺動抑制部材６６は、図３に示すように、フレーム部材６４と同様、フレーム本体部６６Ａ、突出部６６Ｂ、及び挿入孔６６Ｃを有する略コの字状の金属板であるが、揺動抑制部材６６の板厚はフレーム部材６４の板厚よりも薄い。
【００３１】
３．カート取付具３０の取付方法
以上のようなカート取付具３０は、下記の手順によりバスケット部１２に取り付けられる。なお、カート取付具３０は、バスケット部１２の前側網目部１６、右側網目部１８及び左側網目部２０の全てに取り付けることが可能であるが、本実施形態では、前側網目部１６に取り付ける場合を例に挙げて説明する。
【００３２】
まず、フレーム部材６４がバスケット部１２の内側に配置されるように、図２（ａ）に示す如くフック６２を前側網目部１６の上端部に引っ掛ける。
次いで、揺動抑制部材６６の突出部６４Ｂを前側網目部１６の外側から内側へ貫通させ、フレーム部材６４の挿入孔６４Ｃの位置が、揺動抑制部材６６の挿入孔６６Ｃの位置と一致するように、揺動抑制部材６６を配置する。
【００３３】
そして、フレーム部材６４の挿入孔６４Ｃと、揺動抑制部材６６の挿入孔６６Ｃの位置とを一致させた状態で、取付用バスケット部材４０のアーム部４８を内側に撓ませ（変位させ）、取付用バスケット部材４０の挿入突起部５０を、図２（ｂ）に示すように、位置が一致した状態の２組の挿入孔６４Ｃ、６６Ｃに挿入する。
【００３４】
これにより、取付用バスケット部材４０と取付部材６０とが回転可能に取り付けられるとともに、カート取付具３０をバスケット部１２に取り付けることができる。
４．カート取付具３０の使用方法
カート取付具３０を使用する際には、図２（ｂ）に示すように取付用バスケット部材４０がバスケット部１２の内側に配置されている状態から、挿入突起部５０を中心として、取付用バスケット部材４０をバスケット部１２の外側に回転させ、図２（ａ）に示すように、取付用バスケット部材４０がバスケット部１２の外側に配置される状態（使用状態）にする。
【００３５】
なお、本実施形態では、アーム部４８が前側網目部１６の上端部に接触することで、図２（ａ）に示す使用状態から取付用バスケット部材４０が外側へ回転してしまうことを防止している。
【００３６】
そして、図２（ａ）に示す使用状態では、商品を支持部４４、落下防止部４２の順で（上側から）挿入することで、商品を取付用バスケット部材４０に収容することができる。
一方、使用状態にある取付用バスケット部材４０は、挿入突起部５０を中心として、取付用バスケット部材４０をバスケット部１２の内側に回転させることで、図２（ｂ）に示すように、取付用バスケット部材４０をバスケット部１２に収納することができる。
【００３７】
５．本実施形態に係るショッピングカートの特徴
本実施形態に係るカート取付具３０では、落下防止部４２及び支持部４４に商品を接触させることで、その商品の落下を防止するとともにその商品を支持する、すなわち商品を取付用バスケット部材４０に収容するようにしている。
【００３８】
そして、本実施形態では、商品を収容可能な取付用バスケット部材４０をカート本体１０に取り付けることで、カート取付具３０の取付用バスケット部材４０、及びカート本体１０のバスケット部１２の両方に商品を収容することができる。
【００３９】
このため、商品として花束を取付用バスケット部材４０に収容するとともに、花束以外の商品をバスケット部１２に収容すれば、異なる部類の商品を別々の場所に収容することができる。
【００４０】
したがって、商品の収容位置を特に気にすることなく、商品を取付用バスケット部材４０及びバスケット部１２に収容することができるので、ショッピングカートの利便性を向上させることができる。
【００４１】
また、本実施形態では、取付用バスケット部材４０と取付部材６０とが回転可能に連結されているので、使用者が取付用バスケット部材４０を使用しないときには、取付用バスケット部材４０をバスケット部１２の内側に回転移動させることで、取付用バスケット部材４０をバスケット部１２に収納させることができる。
【００４２】
また、本実施形態では、アーム部４８の長さを前側網目部１６、右側網目部１８及び左側網目部２０の高さよりも短くしているので、取付用バスケット部材４０を効率よくバスケット部１２に収納することができる。
【００４３】
また、本実施形態では、バスケット部１２に収納可能な取付用バスケット部材４０が前側網目部１６に取り付けられているので、カート本体１０を他のカート本体の後側網目部２２に向かって押し込んだり、カート本体１０の後側網目部２２に向かって他のカート本体を押し込んだりする、いわゆるカート本体１０の収納作業が行われたとしても、取付用バスケット部材４０が収納作業の邪魔になってしまうことを防止することができる。
【００４４】
また、本実施形態では、取付用バスケット部材４０に花束を収容するようにしているので、ショッピングカートの見栄えをよくすることができる。
また、本実施形態では、揺動抑制部材６６を設けてフック６２及びフレーム部材６４の揺れ動きを抑制するようにしているので、取付用バスケット部材４０がショッピングカートの移動等に応じて揺れ動いてしまう（がたついてしまう）ことを抑制することができる。
【００４５】
また、本実施形態では、フレーム部材６４の挿入孔６４Ｃ、及び揺動抑制部材６６の挿入孔６６Ｃに、取付用バスケット部材４０の挿入突起部５０を挿入するだけで、カート取付具３０をカート本体１０に取り付けているので、ドライバー等の作業工具を使用しなくてもよく、カート取付具３０の取付作業を簡単にすることができる。
【００４６】
なお、本実施形態では、図示を省略しているが、カート取付具３０の使用方法や、使用上の注意点等が記載された注意書きが印刷された印刷シートが、バスケット部１２の内側に貼られている。
【００４７】
（第２実施形態）
第１実施形態では、フック６２をバスケット部１２に引っ掛けることで取付用バスケット部材４０をカート本体１０に取り付けていたが、本実施形態では、図４に示すように、挟持部材７０を前側網目部１６の外側と内側との両方から挟み込んで固定することで、取付用バスケット部材４０をカート本体１０に取り付けるようにしている。なお、図４は、第２実施形態のショッピングカートの主要部分を表す要部拡大図である。
【００４８】
本実施形態は、図４に示すように、前側網目部１６を挟み込む一対の挟持部材７０、及び挟持部材７０を前側網目部１６に固定するためのネジ７２により取付部材８０が構成されている。
【００４９】
本実施形態においても、商品を収容可能な取付用バスケット部材４０をカート本体１０に取り付けることで、カート取付具３０の取付用バスケット部材４０とカート本体１０のバスケット部１２との両方に商品を収容することができるので、上述した第１実施形態と同様の効果を得ることができる。
【００５０】
また、本実施形態では、前側網目部１６に挟持部材７０を取り付ける際には、ネジ７２を用いているので、挟持部材７０を強固に取り付けることができる。
（その他の実施形態）
上記実施形態では、取付用バスケット部材４０に花束を入れるものとして説明したが、これに限らず、取付用バスケット部材４０には、ネギやゴボウなどの野菜や傘等を入れるようにしてもよい。
【００５１】
また、突出部６４Ｂ同士の間隔を適宜設計することで、突出部６４Ｂの各々が前側網目部１６のフレーム部分に接触することが可能となるようにフレーム部材６４を構成してもよい。このようにしても、取付用バスケット部材４０の揺れ動きを抑制することができる。
【００５２】
また、本考案は、実用新案登録請求の範囲に記載された発明の趣旨に合致するものであればよく、上述の実施形態に限定されるものではない。
【図面の簡単な説明】
【００５３】
【図１】第１実施形態のショッピングカートの全体構成を説明する説明図である。
【図２】同実施形態のショッピングカート主要部分を表す要部拡大図である。
【図３】同実施形態のカート取付具の全体構成を説明する説明図である。
【図４】第２実施形態のショッピングカートの主要部分を表す要部拡大図である。
【符号の説明】
【００５４】
１０…カート本体、１２…バスケット部、１４…底側網目部、１６…前側網目部、１８…右側網目部、２０…左側網目部、２２…後側網目部、３０…カート取付具、４０…取付用バスケット部材、４２…落下防止部、４４…支持部、４６…連結部、４８…アーム部、５０…挿入突起部、６０、８０…取付部材、６２…フック、６４…フレーム部材、６４Ａ…フレーム本体部、６４Ｂ…突出部、６４Ｃ…挿入孔、６６…揺動抑制部材、６６Ａ…フレーム本体部、６６Ｂ…突出部、６６Ｃ…挿入孔、７０…挟持部材、７２…ネジ。
【図１】
0003127169.tif 000003
【図２】
0003127169.tif 000004
【図３】
0003127169.tif 000005
【図４】
0003127169.tif 000006